(57)【要約】【課題】  コスト低減を図れると共に、作業性及び取扱性に優れ、然も、水漏れを確実且つ正確に検査できるようにする。【解決手段】  水槽１に取り付けたプランジャーポンプ３の吐出口８ｆ′に上流側開閉バルブ４、圧力計５、下流側開閉バルブ６及び耐圧ホース７を接続して成る水圧テスト用ポンプに於いて、プランジャーポンプ３は、水槽１に固定したシリンダ８と、シリンダ８内に摺動自在に挿入したプランジャー９と、プランジャー９の上端部に揺動自在に連結された操作ハンドル１０と、操作ハンドル１０の先端部とシリンダ８の下端部とに連結されたリンク１１とから成り、前記シリンダ８を、水槽１に固定されて吸水口８ｅ′及び吐出口８ｆ′を備えたシリンダカバー８Ａと、シリンダカバー８Ａに着脱自在に取り付けられてプランジャー９が挿入されるシリンダチューブ８Ｂとから形成し、シリンダチューブ８Ｂ及びプランジャー９を直径の異なる別のシリンダチューブ８Ｂ及びプランジャー９と交換できる構成とする。【選択図】      図１
2009115570.tif 000002
【特許請求の範囲】
【請求項１】
水を貯留する水槽（１）に水槽（１）内の水を吸い上げる手動式のプランジャーポンプ（３）を取り付け、当該プランジャーポンプ（３）の吐出口（８ｆ′）に少なくとも上流側開閉バルブ（４）、圧力計（５）、下流側開閉バルブ（６）及び耐圧ホース（７）を直列状に接続して成り、前記プランジャーポンプ（３）により加圧した水を被テスト管（Ｐ）に送水して被テスト管（Ｐ）の水漏れを検査するようにした水圧テスト用ポンプに於いて、前記プランジャーポンプ（３）は、水槽（１）に起立姿勢で取り付けたシリンダ（８）と、シリンダ（８）内にシールされた状態で上下方向へ往復移動自在に挿入されたプランジャー（９）と、先端部側がプランジャー（９）の上端部に上下方向へ揺動自在に連結され、プランジャー（９）を上下方向へ往復動させる操作ハンドル（１０）と、上端部及び下端部が操作ハンドル（１０）の先端部及びシリンダ（８）の下端部に夫々揺動自在に連結されたリンク（１１）とから成り、前記シリンダ（８）を、水槽（１）に固定されて吸水口（８ｅ′）及び吐出口（８ｆ′）を備えたシリンダカバー（８Ａ）と、シリンダカバー（８Ａ）に着脱自在に取り付けられてプランジャー（９）が挿入されるシリンダチューブ（８Ｂ）とから形成し、シリンダチューブ（８Ｂ）及びプランジャー（９）を直径の異なる別のシリンダチューブ（８Ａ）及びプランジャー（９）と交換できる構成としたことを特徴とする水圧テスト用ポンプ。
【請求項２】
シリンダ（９）を形成するシリンダカバー（８Ａ）とシリンダチューブ（８Ｂ）とをネジ構造により着脱自在としたことを特徴とする請求項１に記載の水圧テスト用ポンプ。
【請求項３】
シリンダ（９）のシリンダカバー（８Ａ）は、水道管に送水ホース（１８）を介して接続される水充填口（８ｄ）を備えていることを特徴とする請求項１又は請求項２に記載の水圧テスト用ポンプ。
【請求項４】
シリンダカバー（８Ａ）の水充填口（８ｄ）に、水充填用の開閉バルブ（１５）を介してソケット（１７ａ）及びプラグ（１７ｂ）から成るワンタッチ式のカプラー（１７）を接続したことを特徴とする請求項３に記載の水圧テスト用ポンプ。
【発明の詳細な説明】
【技術分野】
【０００１】
本発明は、主に給・排水用の配管やスプリンクラー設備の配管等の被テスト管に着脱自在に接続され、被テスト管に加圧した水を供給して被テスト管の水漏れを検査するようにした水圧テスト用ポンプに係り、特に、手動式のプランジャーポンプを用いた携帯型の水圧テスト用ポンプの改良に関するものである。
【背景技術】
【０００２】
従来、この種の水圧テスト用ポンプとしては、本件発明者等が先に開発した水圧テスト用ポンプが知られている（例えば、特許文献１参照）。
即ち、前記水圧テスト用ポンプは、図５に示す如く、水を貯留する水槽３０と、水槽３０に支持板３１を介して起立姿勢で取り付けた手動式のプランジャーポンプ３２と、プランジャーポンプ３２の吐出口３７ｂに接続された上流側のボールバルブ３３と、上流側のボールバルブ３３に接続された圧力計３４と、圧力計３４に接続された下流側のボールバルブ３５と、下流側のボールバルブ３５に接続された耐圧ホース３６とから構成されている。
【０００３】
又、水圧テスト用ポンプの要部を構成するプランジャーポンプ３２は、図５に示す如く、支持板３１に起立姿勢で固定され、水槽３０内に位置する吸水口３７ａ及び水槽３０外に位置する吐出口３７ｂを備えたシリンダ３７と、シリンダ３７内にシールされた状態で上下方向へ往復移動自在に挿入されたプランジャー３８と、先端部がプランジャー３８の上端部に上下方向へ揺動自在に連結され、プランジャー３８を上下方向へ往復動させる操作ハンドル３９と、上端部及び下端部が操作ハンドル３９の先端部及びシリンダ３７の下端部に夫々揺動自在に連結されたリンク４０と、シリンダ３７の吸水口３７ａに接続され、内部に吸水弁（図示省略）を設けた筒状の吸水用ケース４１と、シリンダ３７の吐出口３７ｂに設けた吐出弁４２とから構成されており、操作ハンドル３９を引き上げ操作してプランジャー３８を上方へ移動させると、シリンダ３７内の減圧作用により吸水弁が開いて水槽３０内の水が吸水口３７ａからシリンダ３７内に吸引され、又、操作ハンドル３９を押し下げ操作してプランジャー３８を下方へ移動させると、シリンダ３７内の加圧作用により吸水弁が閉じると共に、吐出弁４２が開いてシリンダ３７内の加圧された水が吐出口３７ｂから吐出されるようになっている。
【０００４】
而して、上述した水圧テスト用ポンプを用いて被テスト管Ｐ（例えば、スプリンクラー設備の配管等）の水漏れを検査する場合には、先ず、被テスト管Ｐの両端を適宜の手段により閉塞すると共に、被テスト管Ｐに空気抜き用のストップバルブ４３と水充填用のストップバルブ４４とを装着し、空気抜き用のストップバルブ４３から被テスト管Ｐ内の空気を抜きながら、水充填用のストップバルブ４４から被テスト管Ｐ内に水道水を充填する。尚、被テスト管Ｐに装着した二つのストップバルブ４３，４４は、被テスト管Ｐ内が水道水で充満し、空気抜き用のストップバルブ４３から水道水が放出し始めれば両方とも閉じる。
【０００５】
次に、水圧テスト用ポンプの水槽３０に水を貯留すると共に、耐圧ホース３６を水充填用のストップバルブ４４に接続した後、上流側のボールバルブ３３と下流側のボールバルブ３５と水充填用のストップバルブ４４とを夫々開き、この状態でプランジャーポンプ３２を作動させて水槽３０内の水を被テスト管Ｐ内に送り込む（図５参照）。
【０００６】
そして、水圧テスト用ポンプの圧力計３４が所定の圧力に上昇したら、上流側のボールバルブ３３のみを閉じ、被テスト管Ｐ内の圧力変化を調べることによって、被テスト管Ｐの水漏れを検査することができる。即ち、被テスト管Ｐ内の圧力が降下しなければ、被テスト管Ｐに水漏れはなく、又、被テスト管Ｐ内の圧力が降下すれば、被テスト管Ｐに水漏れが発生していることが判る。
【０００７】
前記水圧テスト用ポンプは、手動式のプランジャーポンプ３２を使用しているため、小型化、軽量化及び構造の簡略化等を図ることができ、様々な作業現場に於いて広く利用に供されている。
【０００８】
しかし、従来の水圧テスト用ポンプに於いても、未だ解決すべき問題点が残されている。
即ち、従来の水圧テスト用ポンプは、その要部を構成する手動式のプランジャーポンプ３２のシリンダ３７が一体構造に形成されているため、加工に手数が掛かってコスト高になると云う問題がある。
【０００９】
又、従来の水圧テスト用ポンプは、例えば、吸水量及び吐出量の小さいプランジャーポンプ３２を備えた水圧テスト用ポンプを用いて内容積の大きい被テスト管Ｐを検査すると、被テスト管Ｐ内を所定の圧力になるまで上昇させるのに、プランジャーポンプ３２を作動させる回数が極めて多くなり、作業員が疲労するうえ、被テスト管Ｐの検査に時間が掛かると云う問題がある。その結果、この場合には作業性及び取扱性に劣ることになる。
尚、吸水量及び吐出量の大きいプランジャーポンプ３２を備えた水圧テスト用ポンプを用意しておけば、上述した問題を解決することができるが、この場合には容量の異なるプランジャーポンプ３２を備えた数台の耐圧テスト用ポンプを用意しておかなければならず、コストの高騰を招くことになる。
【００１０】
更に、従来の水圧テスト用ポンプに於いては、図６に示す如く、水圧テスト用ポンプにＴ字型のジョイント４５、分岐用の開閉バルブ４６及び送水ホース４７等を組み付けることによって、被テスト管Ｐへの水道水Ｗの充填や加圧を容易に行えるようになっている。
即ち、従来の水圧テスト用ポンプに於いては、下流側のボールバルブ３５と耐圧ホース３６との間にＴ字型のジョイント４５を介設すると共に、当該ジョイント４５に分岐用の開閉バルブ４６を接続し、この分岐用の開閉バルブ４６と水道管（図示省略）とを送水ホース４７で接続した後、上流側のボールバルブ３３及び下流側のボールバルブ３５を閉じると共に、分岐用の開閉バルブ４６及び水充填用のストップバルブ４４を開放し、この状態で送水ホース４７から水道水Ｗを分岐用の開閉バルブ４６、ジョイント４５、耐圧ホース３６及びストップバルブ４４を通して被テスト管Ｐ内に充填することが行われている。
又、被テスト管Ｐ内が水道水Ｗで充満したら、分岐用の開閉バルブ４６を閉じると共に、上流側のボールバルブ３３及び下流側のボールバルブ３５を開き、プランジャーポンプ３２を作動させて水槽３０内の水を被テスト管Ｐ内に送水し、被テスト管Ｐ内を加圧することが行われている。
【００１１】
このように、従来の水圧テスト用ポンプにＴ字型のジョイント４５、分岐用の開閉バルブ４６及び送水ホース４７等を組み付けると、一回の接続作業で被テスト管Ｐへの水道水Ｗの充填や被テスト管Ｐ内の加圧を行え、水道水Ｗの充填作業や被テスト管Ｐの加圧作業を比較的容易に行えることになる。
しかし、この場合には、接続個所が多くなって水漏れを起こし易くなるうえ、被テスト管Ｐの検査時にジョイント４５から送水ホース４７側へ水が漏れることがあり、被テスト管Ｐの水漏れを正確に且つ確実に検査することができないと云う問題が発生する。
【特許文献１】実公昭５８−５２３８８号公報
【発明の開示】
【発明が解決しようとする課題】
【００１２】
本発明は、このような問題点に鑑みて為されたものであり、その目的は、コスト低減を図れると共に、作業性及び取扱性に優れ、然も、水漏れを確実且つ正確に検査することができるようにした手動式のプランジャーポンプを用いた携帯型の水圧テスト用ポンプを提供することにある。
【課題を解決するための手段】
【００１３】
上記目的を達成するために、本発明の請求項１の発明は、水を貯留する水槽に水槽内の水を吸い上げる手動式のプランジャーポンプを取り付け、当該プランジャーポンプの吐出口に少なくとも上流側開閉バルブ、圧力計、下流側開閉バルブ及び耐圧ホースを直列状に接続して成り、前記プランジャーポンプにより加圧した水を被テスト管に送水して被テスト管の水漏れを検査するようにした水圧テスト用ポンプに於いて、前記プランジャーポンプは、水槽に起立姿勢で取り付けたシリンダと、シリンダ内にシールされた状態で上下方向へ往復移動自在に挿入されたプランジャーと、先端部側がプランジャーの上端部に上下方向へ揺動自在に連結され、プランジャーを上下方向へ往復動させる操作ハンドルと、上端部及び下端部が操作ハンドルの先端部及びシリンダの下端部に夫々揺動自在に連結されたリンクとから成り、前記シリンダを、水槽に固定されて吸水口及び吐出口を備えたシリンダカバーと、シリンダカバーに着脱自在に取り付けられてプランジャーが挿入されるシリンダチューブとから形成し、シリンダチューブ及びプランジャーを直径の異なる別のシリンダチューブ及びプランジャーと交換できる構成としたことに特徴がある。
【００１４】
本発明の請求項２の発明は、シリンダを形成するシリンダカバーとシリンダチューブとをネジ構造により着脱自在としたことに特徴がある。
【００１５】
本発明の請求項３の発明は、シリンダのシリンダカバーが、水道管に送水ホースを介して接続される水充填口を備えていることに特徴がある。
【００１６】
本発明の請求項４の発明は、シリンダカバーの水充填口に、水充填用の開閉バルブを介してソケット及びプラグから成るワンタッチ式のカプラーを接続したことに特徴がある。
【発明の効果】
【００１７】
本発明の請求項１の水圧テスト用ポンプは、プランジャーポンプのシリンダを、水槽に固定されて吸水口及び吐出口を備えたシリンダカバーと、シリンダカバーに着脱自在に取り付けられるシリンダチューブとから形成しているため、プランジャーポンプのシリンダを一体構造に形成した従来の水圧テスト用ポンプに比較してシリンダの加工が容易になってコスト低減を図れる。
又、本発明の請求項１の水圧テスト用ポンプは、プランジャーポンプのシリンダをシリンダカバーとシリンダチューブとから形成し、シリンダチューブ及びプランジャーを直径の異なる別のシリンダチューブ及びプランジャーと交換できる構成としているため、内容積の異なる被テスト管の水漏れを検査する際に、プランジャーポンプのシリンダチューブとプランジャーを被テスト管の内容積に応じたシリンダチューブとプランジャーに交換することによって、被テスト管への加圧水の供給や被テスト管内の加圧を短時間で行えることになり、作業性及び取扱性に優れたものとなる。然も、プランジャーポンプの一部の部品を交換するだけで良いため、従来のようにプランジャーポンプの容量が異なる数台の耐圧テスト用ポンプを用意しておく必要もなく、大幅なコスト低減を図れる。
【００１８】
本発明の請求項２乃至請求項４の発明は、上記効果に加えて更に次のような優れた効果を奏することができる。
即ち、本発明の請求項２の水圧テスト用ポンプは、シリンダを形成するシリンダカバーとシリンダチューブとをネジ構造により着脱自在としているため、シリンダチューブ等の交換を簡単且つ容易に行える。
又、本発明の請求項３の水圧テスト用ポンプは、シリンダのシリンダカバーが水道管に送水ホースを介して接続される水充填口を備えているため、被テスト管と耐圧ホースとを一回接続するだけで被テスト管への水道水の充填や被テスト管内の加圧を行え、水道水の充填作業や被テスト管の加圧作業を簡単且つ容易に行えるる。然も、圧力計の上流側に位置するシリンダのシリンダカバーに水充填口を形成しているため、被テスト管の水漏れ検査時に圧力計と被テスト管の間から水が漏れ難くなり、被テスト管の水漏れを正確に且つ確実に検査することができる。
更に、本発明の請求項４の水圧テスト用ポンプは、シリンダカバーの水充填口に水充填用の開閉バルブを介してソケット及びプラグから成るワンタッチ式のカプラーを接続しているため、被テスト管への水道水の充填をより一層簡単且つ容易に行うことができる。
【発明を実施するための最良の形態】
【００１９】
以下、本発明の実施の形態を図面に基づいて詳細に説明する。
図１乃至図３は本発明の実施の形態に係る携帯型の水圧テスト用ポンプを示し、当該水圧テスト用ポンプは、スプリンクラー設備の配管や高圧洗浄機の配管等の被テスト管Ｐに着脱自在に接続され、被テスト管Ｐに加圧した水を供給して被テスト管Ｐの水漏れを検査するようにしたものであり、水を貯留する上方が開放されたプラスチック製の水槽１と、水槽１に設けた逆Ｌ字形の金属製の支持板２に起立姿勢で取り付けた手動式のプランジャーポンプ３と、プランジャーポンプ３の吐出口８ｆ′に接続されたボールバルブやコック等から成る手動式の上流側開閉バルブ４と、上流側開閉バルブ４に接続された圧力計５と、圧力計５に接続されたボールバルブやコック等から成る手動式の下流側開閉バルブ６と、下流側開閉バルブ６に接続された耐圧ホース７とから構成されている。
尚、プランジャーポンプ３以外の水槽１、支持板２、上流側開閉バルブ４、圧力計５、下流側開閉バルブ６及び耐圧ホース７等は、従来公知のものと同様構造に構成されているため、ここではその詳細な説明を省略する。
【００２０】
前記水圧テスト用ポンプの要部を構成するプランジャーポンプ３は、図１乃至図３に示す如く、水槽１の支持板２に起立姿勢で固定され、水槽１内に位置する吸水口８ｅ′及び水槽１外に位置する吐出口８ｆ′を備えたシリンダ８と、シリンダ８内にシールされた状態で上下方向へ往復移動自在に挿入されたプランジャー９と、先端部がプランジャー９の上端部に上下方向へ揺動自在に連結され、プランジャー９を上下方向へ往復動させる操作ハンドル１０と、上端部及び下端部が操作ハンドル１０の先端部及びシリンダ８の下端部に夫々揺動自在に連結されたリンク１１と、シリンダ８の吸水口８ｅ′に接続されて内部に逆止弁構造の吸水弁１３を設けた筒状の吸水用ケース１２と、シリンダ８の吐出口８ｆ′に設けた逆止弁構造の吐出弁１４とから構成されており、操作ハンドル１０を引き上げ操作してプランジャー９を上方へ移動させると、シリンダ８内の減圧作用により吸水弁１３が開いて水槽１内の水が吸水口８ｅ′からシリンダ８内に吸引され、又、操作ハンドル１０を押し下げ操作してプランジャー９を下方へ移動させると、シリンダ８内の加圧作用により吸水弁１３が閉じると共に、吐出弁１４が開いてシリンダ８内の加圧された水が吐出口８ｆ′から吐出されるようになっている。
【００２１】
そして、前記プランジャーポンプ３は、水槽１の支持板２に固定されて吸水口８ｅ′及び吐出口８ｆ′を備えたシリンダカバー８Ａと、シリンダカバー８Ａに着脱自在に取り付けられてプランジャー９が挿入されるシリンダチューブ８Ｂとから形成された分割自在なシリンダ８を備えており、シリンダチューブ８Ｂ及びプランジャー９を直径の異なる別のシリンダチューブ８Ｂ及びプランジャー９と交換できるように構成されている。
又、プランジャーポンプ３は、被テスト管Ｐ内へ水道水を充填するための水充填口８ｄを備えており、水充填口８ｄに水充填用の開閉バルブ１５、ジョイント１６、カプラー１７及び送水ホース１８を順次接続することによって、被テスト管Ｐ内へ水道水を充填できるように構成されている。
【００２２】
前記シリンダカバー８Ａは、金属材により一体的に形成されており、水槽１の支持板２にボルト・ナットにより固定されている。
具体的には、シリンダカバー８Ａは、水槽１の支持板２上面にボルト・ナットにより固定される四角板状の台座部８ａと、台座部８ａの上面側に連設されて内周面にシリンダチューブ８Ｂの下端部が着脱自在に螺着される雌ネジ８ｂを形成した上向きの支持筒部８ｃと、支持筒部８ｃに形成した横向きの水充填口８ｄと、台座部８ａの下面側に連設されて支持筒部８ｃ内に連通する吸水口８ｅ′を形成する下向きの吸水筒部８ｅと、台座部８ａ及び支持筒部８ｃに連設されて支持筒部８ｃ内に連通する吐出口８ｆ′を形成する横向きの吐出筒部８ｆと、台座部８ａ及び支持筒部８ｃに連設されてリンク１１の下端部が揺動自在に連結されるブラケット８ｇとを備えている。
又、シリンダカバー８Ａの水充填口８ｄには、ボールバルブやコック等から成る水充填用の開閉バルブ１５が接続されている。この水充填用の開閉バルブ１５の吸入側には、ジョイント１６、ソケット１７ａ及びプラグ１７ｂから成るワンタッチ式のカプラー１７、送水ホース１８が順次接続されている。尚、送水ホース１８の上流側は、水道管（図示省略）に接続されている。
【００２３】
前記シリンダチューブ８Ｂは、金属材により筒状に形成されており、その下端部外周面には、シリンダカバー８Ａの支持筒部８ｃの雌ネジ８ｂに着脱自在に螺着される雄ネジ８ｈが形成されている。このシリンダチューブ８Ｂは、雄ネジ８ｈを形成した下端部をシリンダカバー８Ａの支持筒部８ｃ内にねじ込むことによって、シリンダカバー８Ａに起立姿勢で着脱自在に取り付けられている。
尚、シリンダチューブ８Ｂには、雄ネジ８ｈを形成した部分の直径が全て同じでその他の部分の直径が異なる数種類のシリンダチューブ８Ｂが用意されている。
【００２４】
前記プランジャー９は、金属材により円柱状に形成されており、シリンダカバー８Ａのシリンダチューブ８Ｂ内にＯリングによりシールされた状態で摺動自在且つ上下方向へ往復移動自在に挿入されている。
又、プランジャー９の上端部は、操作ハンドル１０の先端部側が揺動自在に嵌め込まれるように二股状に形成されている。
尚、プランジャー９には、上述した数種類のシリンダチューブ８Ｂの直径に夫々対応する直径の異なる数種類のプランジャー９が用意されている。
【００２５】
前記操作ハンドル１０は、レバー部１０ａ及びグリップ部１０ｂから成り、レバー部１０ａの先端部側をプランジャー９の二股部に嵌め込み、プランジャー９の二股部及びレバー部１０ａに支点ピン１９を挿着することによって、プランジャー９の上端部に揺動自在に連結されている。
【００２６】
前記リンク１１は、対称形状の一対のリンク材を重ね合わせてリベット止めすることにより構成されており、その両端部が二股状に形成されている。このリンク１１の上端部は、支持ピン２０により操作ハンドル１０の先端部に揺動自在に連結され、又、リンク１１の下端部は、支持ピン２０によりシリンダカバー８Ａのブラケット８ｇに揺動自在に連結されている。
【００２７】
前記吸水用ケース１２は、金属材により筒状に形成されており、水槽１内の貯留した水に浸漬する状態でシリンダカバー８Ａの吸水口８ｅ′を形成する吸水筒部８ｅに着脱自在に接続されている。
又、吸水用ケース１２の下端部には、ストレーナ２１が取り付けられていると共に、吸水用ケース１２の内部には、プランジャーポンプ３の吸引作用時に開き、プランジャーポンプ３の吐出作用時に閉じる吸水弁１３が設けられている。この吸水弁１３は、吸水用ケース１２の内周面に形成した上向きの弁座１３ａと、吸水用ケース１２内に上下動自在に挿入され、弁座１３ａに当座又は弁座１３ａから離座する球状の弁体１３ｂとから成り、弁体１３ｂが自重により弁座１３ａへ当座するように構成されている。
【００２８】
前記吐出弁１４は、シリンダカバー８Ａの吐出口８ｆ′を形成する吐出筒部８ｆに着脱自在に螺着されて内方に弁座１４ａ′を形成した筒状のボディ１４ａと、ボディ１４ａ内に進退移動自在に挿入されて弁座１４ａ′に当座又は弁座１４ａ′から離座する球状の弁体１４ｂと、ボディ１４ａと弁体１４ｂとの間に介設されて弁体１４ｂを弁座１４ａ′に当座すべく附勢するコイルスプリング１４ｃ等から成り、プランジャーポンプ３の吸引作用時に閉じ、プランジャーポンプ３の吐出作用時に開くように構成されている。
【００２９】
次に、上述した圧テスト用ポンプを用いてスプリンクラー設備の配管や高圧洗浄機の配管等の被テスト管Ｐの水漏れを検査する場合について説明する。
【００３０】
先ず、被テスト管Ｐの両端を適宜の手段により閉塞すると共に、被テスト管Ｐに空気抜き用のストップバルブ２２と水充填用のストップバルブ２３とを装着する。
又、水圧テスト用ポンプのプランジャーポンプ３のシリンダチューブ８Ｂ及びプランジャー９を被テスト管Ｐの内容積に応じたものと交換する。
例えば、被テスト管Ｐの内容積が大きい場合には、水の供給量が多くなるようにプランジャーポンプ３に直径の大きいシリンダチューブ８Ｂ及びプランジャー９を使用し、又、被テスト管Ｐの内容積が小さい場合には、水の供給量が少なくなるようにプランジャーポンプ３に直径の小さいシリンダチューブ８Ｂ及びプランジャー９を使用する。このとき、プランジャーポンプ３のシリンダ８を形成するシリンダカバー８Ａとシリンダチューブ８Ｂとをネジ構造により着脱自在としているため、シリンダチューブ８Ｂ等の交換を簡単且つ容易に行える。
【００３１】
次に、水圧テスト用ポンプの耐圧ホース７を被テスト管Ｐに装着した水充填用のストップバルブ２３に接続すると共に、水道管に接続された送水ホース１８をワンタッチ式のカプラー１７を介してプランジャーポンプ３の水充填口８ｄに接続した水充填用の開閉バルブ１５の入口側に接続する。このとき、送水ホース１８をワンタッチ式のカプラー１７を用いて開閉バルブ１５へ接続しているため、接続をより一層簡単且つ容易に行える。
【００３２】
耐圧ホース７及び送水ホース１８等の接続が終了したら、この状態で水充填用の開閉バルブ１５、上流側開閉バルブ４、下流側開閉バルブ６、被テスト管Ｐに装着した二つのストップバルブ２２，２３を夫々開き、被テスト管Ｐに装着した空気抜き用のストップバルブ２２から被テスト管Ｐ内の空気を抜きながら、水道管内の水道水を送水ホース１８、水充填用の開閉バルブ１５、プランジャーポンプ３のシリンダ８、上流側開閉バルブ４、圧力計５、下流側開閉バルブ６、耐圧ホース７、水充填用のストップバルブ２３を介して被テスト管Ｐ内に供給する。
【００３３】
被テスト管Ｐ内に水道水が充満して空気抜き用のストップバルブ２２から水道水が放出し始めたら、空気抜き用のストップバルブ２２及び水充填用の開閉バルブ１５を閉じると共に、水圧テスト用ポンプの水槽１に水を貯留し、この状態でプランジャーポンプ３を作動させて水槽１内の水を加圧して被テスト管Ｐ内に送り込む。
【００３４】
そして、水圧テスト用ポンプの圧力計５が所定の圧力に上昇したら、上流側開閉バルブ４のみを閉じ、被テスト管Ｐ内の圧力変化を調べることによって、被テスト管Ｐの水漏れを検査することができる。即ち、被テスト管Ｐ内の圧力が降下しなければ、被テスト管Ｐに水漏れはなく、又、被テスト管Ｐ内の圧力が降下すれば、被テスト管Ｐに水漏れが発生していることが判る。
【００３５】
このように、上述した構成の水圧テスト用ポンプは、プランジャーポンプ３のシリンダ８をシリンダカバー８Ａとシリンダチューブ８Ｂとから形成し、シリンダチューブ８Ｂ及びプランジャー９を直径の異なる別のシリンダチューブ８Ｂ及びプランジャー９と交換できる構成としているため、内容積の異なる被テスト管Ｐの水漏れを検査する際に、プランジャーポンプ３のシリンダチューブ８Ｂとプランジャー９を被テスト管Ｐの内容積に応じたシリンダチューブ８Ｂとプランジャー９とに交換することによって、被テスト管Ｐへの加圧水の供給や被テスト管Ｐ内の加圧を短時間で行えることになり、作業性及び取扱性に優れたものとなる。然も、プランジャーポンプ３の一部の部品を交換するだけで良いため、従来のようにプランジャーポンプの容量が異なる数台の耐圧テスト用ポンプを用意しておく必要もなく、大幅なコスト低減を図れる。
又、この水圧テスト用ポンプは、シリンダ８のシリンダカバー８Ａが水道管に送水ホース１８を介して接続される水充填口８ｄを備えているため、被テスト管Ｐと耐圧ホース７とを一回接続するだけで被テスト管Ｐへの水道水の充填や被テスト管Ｐの加圧を行え、水道水の充填作業や被テスト管Ｐの加圧作業を簡単且つ容易に行える。然も、圧力計５の上流側に位置するシリンダ８のシリンダカバー８Ａに水充填口８ｄを形成しているため、被テスト管Ｐの水漏れ検査時に圧力計５と被テスト管Ｐの間から水が漏れ難くなり、被テスト管Ｐの水漏れを正確に且つ確実に検査することができる。
更に、この水圧テスト用ポンプは、プランジャーポンプ３のシリンダ８を、水槽１に固定されて吸水口８ｅ′及び吐出口８ｆ′を備えたシリンダカバー８Ａと、シリンダカバー８Ａに着脱自在に取り付けられるシリンダチューブ８Ｂとから形成しているため、プランジャーポンプ３のシリンダ８を一体構造に形成した従来の水圧テスト用ポンプに比較してシリンダ８の加工が容易になってコスト低減を図れる。
【００３６】
尚、上記の実施の形態に於いては、水圧テスト用ポンプを用いてスプリンクラー設備の配管や高圧洗浄機の配管等の被テスト管Ｐの水漏れを検査するようにしたが、他の実施の形態に於いては、水圧テスト用ポンプを用いてタンクや密閉容器等の水漏れを検査するようにしても良い。
【図面の簡単な説明】
【００３７】
【図１】本発明の実施の形態に係る水圧テスト用ポンプを示し、水圧テスト用ポンプの一部を破断した状態の正面図である。
【図２】同じく水圧テスト用ポンプの一部を破断した状態の側面図である。
【図３】図１のＡ−Ａ線断面図である。
【図４】水圧テスト用ポンプの使用状態を示す説明図である。
【図５】従来の水圧テスト用ポンプの使用状態を示し、水圧テスト用ポンプの一部を破断した状態の正面図である。
【図６】同じく従来の水圧テスト用ポンプの別の使用状態をし、水圧テスト用ポンプの一部を破断した状態の正面図である。
【符号の説明】
【００３８】
１は水槽、３はプランジャーポンプ、４は上流側開閉バルブ、５は圧力計、６は下流側開閉バルブ、７は耐圧ホース、８はプランジャーポンプのシリンダ、８Ａはシリンダカバー、８Ｂはシリンダチューブ、８ｄは水充填口、８ｅ′は吸水口、８ｆ′は吐出口、９はプランジャー、１０は操作ハンドル、１１はリンク、１５は水充填用の開閉バルブ、１７はカプラー、１７ａはソケット、１７ｂはプラグ、１８は送水ホース、Ｐは被テスト管。
【図１】
2009115570.tif 000003
【図２】
2009115570.tif 000004
【図３】
2009115570.tif 000005
【図４】
2009115570.tif 000006
【図５】
2009115570.tif 000007
【図６】
2009115570.tif 000008